(57)【要約】【課題】加熱装置の小型化を図ること。【解決手段】加熱装置１０の電気ヒータ１０は、螺旋状に巻かれる巻線部１３を有する。巻線部１３は、互いに対向して湾曲する第１湾曲線部１３Ｂ及び第２湾曲線部１３Ｃを有する。第１湾曲線部１３Ｂ及び第２湾曲線部１３Ｃは、同一方向に傾倒するように形成される。【選択図】図２
2016180547.tif 000002
【特許請求の範囲】
【請求項１】
タンク内を流れる液体を電気ヒータによって加熱する加熱装置であって、
前記電気ヒータは、螺旋状に巻かれる巻線部を有し、
前記巻線部は、互いに対向して湾曲する第１湾曲線部及び第２湾曲線部を有し、
前記第１湾曲線部及び前記第２湾曲線部は、同一方向に傾倒するように形成されることを特徴とする加熱装置。
【請求項２】
請求項１に記載の加熱装置であって、
前記巻線部は、前記第１湾曲線部の両端と前記第２湾曲線部の両端とをそれぞれ連結して直線状に延びる第１延設線部及び第２延設線部をさらに有することを特徴とする加熱装置。
【請求項３】
請求項２に記載の加熱装置であって、
前記タンクは、液体が流入する入口と、液体が流出する出口と、を備え、
前記第１延設線部又は前記第２延設線部は、前記入口と前記出口との少なくとも一方の延長方向に延びるように形成されることを特徴とする加熱装置。
【請求項４】
請求項３に記載の加熱装置であって、
前記第１延設線部が前記第２延設線部の上方に配置され、
前記入口と前記出口との少なくとも一方は、前記第１延設線部の延長方向に配置されることを特徴とする加熱装置。
【請求項５】
請求項３又は４に記載の加熱装置であって、
前記タンクには、前記入口と前記出口とが互いに平行に並んで開口し、
前記タンク内を前記入口が開口する上流領域と前記出口が開口する下流領域とに仕切るリブを備えることを特徴とする加熱装置。
【請求項６】
請求項５に記載の加熱装置であって、
前記リブは、隣り合う２本の前記第１延設線部の間から前記第２延設線部に向けて突出することを特徴とする加熱装置。
【請求項７】
請求項１から６のいずれか一つに記載の加熱装置であって、
隣り合う２本の前記第１延設線部の間に液体の温度を検知する温度検知器が配置されることを特徴とする加熱装置。
【発明の詳細な説明】
【技術分野】
【０００１】
本発明は、電気ヒータによって液体を加熱する加熱装置に関する。
【背景技術】
【０００２】
電気自動車などの車室内の空気を調和する車両用空調装置には、電気ヒータを用いて温水をつくる加熱装置が搭載される。
【０００３】
この種の加熱装置として、特許文献１には、液体を蓄えるケースと、液体を加熱する電気式ヒータと、を備える装置が開示されている。
【０００４】
上記電気式ヒータは、線材が螺旋状に巻かれた巻線部を有し、巻線部が液体に浸かるように、ケースの内部に取り付けられている。
【先行技術文献】
【特許文献】
【０００５】
【特許文献１】特開平１０−３０９９３５号公報
【発明の概要】
【発明が解決しようとする課題】
【０００６】
しかしながら、このような従来の装置にあっては、ケースの内部における電気式ヒータの巻線部を収容するスペースが大きいため、装置の大型化を招くという課題がある。
【課題を解決するための手段】
【０００７】
本発明のある態様によれば、タンク内を流れる液体を電気ヒータによって加熱する加熱装置であって、電気ヒータは、螺旋状に巻かれる巻線部を有し、巻線部は、互いに対向して湾曲する第１湾曲線部及び第２湾曲線部を有し、第１湾曲線部及び第２湾曲線部は、同一方向に傾倒するように形成されることを特徴とする加熱装置が提供される。
【発明の効果】
【０００８】
上記態様によれば、電気ヒータの巻線部は、第１湾曲線部及び第２湾曲線部が同一方向に傾倒することにより、扁平な螺旋状に形成され、その外形が小さくなる。これにより、タンクの内部における電気ヒータの巻線部を収容するスペースが小さくなり、加熱装置の小型化が図れる。
【図面の簡単な説明】
【０００９】
【図１】本発明の実施形態に係る加熱装置を示す分解斜視図である。
【図２】図１のＩＩ−ＩＩ線に沿う断面図である。
【図３】加熱装置のタンク室を示す底面図である。
【図４】図１のＩＶ−ＩＶ線に沿う断面図である。
【図５】電気ヒータを示す平面図である。
【図６】電気ヒータを示す側面図である。
【発明を実施するための形態】
【００１０】
以下、添付図面を参照しながら本発明の実施形態について説明する。
【００１１】
図１〜図６に示す加熱装置１００は、電気自動車などの車両に搭載され、車室内の空気を調和する空調装置（図示省略）を構成する。空調装置は、ポンプ（図示省略）によって液状の熱媒体（以下、単に「液体」と称する。）が加熱装置１００及びヒータコア（図示省略）に循環する熱媒体回路を備える。空調装置は、加熱装置１００にて加熱された液体（温水）がヒータコアに送られ、ヒータコアにて空調用空気に放熱して空調用空気を暖めるようになっている。
【００１２】
図１は、加熱装置１００の分解斜視図である。加熱装置１００は、下のカバー５０、電気ヒータ１０、タンク６０、バスバーモジュール３０、制御基板４０、及び上のカバー５０を備える。
【００１３】
図２は、図１のＩＩ−ＩＩ線に沿う断面図である。タンク６０は、箱状の外壁６１と、外壁６１の内側にわたされる隔壁６２と、を有する。外壁６１の下端には、下のカバー５０が複数のボルト５５を介して取り付けられる。外壁６１の上端には、上のカバー５０が複数のボルト５５を介して取り付けられる。
【００１４】
加熱装置１００は、車両に搭載された状態で、隔壁６２及び上下のカバー５０が水平方向に延びるように配置される。
【００１５】
タンク６０内には、下のカバー５０と隔壁６２との間にタンク室５１が設けられる。タンク６０には、外壁６１を貫通してタンク室５１に開口する入口５３及び出口５４が形成される。入口５３及び出口５４には、熱媒体回路を構成する配管（図示省略）が接続される。熱媒体回路を循環する液体は、入口５３を通ってタンク室５１に流入し、タンク室５１から出口５４を通って流出する。
【００１６】
タンク室５１には、電気ヒータ１０が収容される。電気ヒータ１０は、タンク室５１に溜められる液体に浸されように取り付けられる。なお、通常の作動状態では、タンク室５１に液体が充満している。
【００１７】
タンク６０内には、上のカバー５０と隔壁６２との間に制御室５２が設けられる。制御室５２には、バスバーモジュール３０及び制御基板４０が収容される。制御基板４０は、バスバーモジュール３０の上に間隔をもって並ぶように配置される。バスバーモジュール３０及び制御基板４０は、それぞれ複数のビス５６を介して隔壁６２に取り付けられる。
【００１８】
バスバーモジュール３０は、電力や信号を送給する導電材からなるバスバー３６、３７を、絶縁性を有する樹脂（絶縁部材）の内部に封じ込めて一体化したものである。バスバー３６、３７は、２本のケーブル（図示省略）を介して電気ヒータ１０の各端子１１、１５にそれぞれ接続され、電源からの電流を電気ヒータ１０に導く強電系回路を構成する。
【００１９】
図１に示すように、タンク６０には、外壁６１を貫通して制御室５２に開口する電源口６３が形成される。電源口６３には、電源ケーブル（図示省略）が接続されるコネクタ７３（図３参照）が取り付けられる。
【００２０】
バスバーモジュール３０には、２つのスイッチ素子７４（Ｉｎｓｕｌａｔｅｄ  Ｇａｔｅ  Ｂｉｐｏｌａｒ  Ｔｒａｎｓｉｓｔｏｒ、ＩＧＢＴ）が取り付けられる。各スイッチ素子７４は、バスバー３６に接続されることで、強電系回路に介装される。
【００２１】
制御室５２には、３つの温度検知器７０（温度センサ）が設けられる。各温度検知器７０は、隔壁６２とバスバーモジュール３０との間に介装され、隔壁６２を介してタンク室５１内の液体の温度を検知する。
【００２２】
各温度検知器７０の信号線７１及びスイッチ素子７４の端子７２は、制御基板４０上に設けられる制御装置（図示省略）に接続される。制御装置は、各温度検知器７０の検知信号を受け、検知信号に応じてスイッチ素子７４のオンオフを切り換えて、タンク室５１内を循環する液体の温度を所定範囲に保つように制御する。
【００２３】
バイメタルスイッチ７５は、電気ヒータ１０に取り付けられる感温ケース７６に収容される。バイメタルスイッチ７５及び感温ケース７６は、液体の温度を検知する温度検知器７７を構成する。
【００２４】
バイメタルスイッチ７５は、２本のケーブル３１を介して強電系回路に接続される。バイメタルスイッチ７５は、液体の温度または電気ヒータ１０の温度が所定値を超えて上昇すると、電気ヒータ１０に供給される電流を遮断する保護回路を構成する。
【００２５】
加熱装置１００の作動時には、制御基板４０や電気ヒータ１０への電力の供給がバスバーモジュール３０を介して行われる。電気ヒータ１０は、電流が流れることでタンク室５１を流れる液体を加熱する。
【００２６】
次に、電気ヒータ１０の具体的な構造について説明する。
【００２７】
図３は、タンク６０から下のカバー５０を外した状態で、タンク室５１の電気ヒータ１０を下方から見た底面図である。箱状の外壁６１は、互いに対向するように延びる両端面６１Ａ、６１Ｂと、両側面６１Ｃ、６１Ｄと、を有する。入口５３及び出口５４は、一方の端面６１Ａに並んで開口する。
【００２８】
電気ヒータ１０は、各端子１１、１５が接続される各端部１２、１４と、各端部１２、１４の間で螺旋状に巻かれる巻線部１３と、を有する。
【００２９】
電気ヒータ１０の各端子１１、１５は、隔壁６２の孔（図示省略）に挿入してタンク６０に取り付けられる。各端子１１、１５は、隔壁６２に直交して鉛直方向に延びるように配置される。
【００３０】
図２において、隔壁６２に直交して鉛直方向に延びる線を基準線Ｖとする。各端子１１、１５は、基準線Ｖと平行に延びるように配置される。
【００３１】
電気ヒータ１０の各端部１２、１４は、各端子１１、１５から直線状に延びる部位を有する。各端部１２、１４は、各端子１１、１５から連続して基準線Ｖと平行に延びる部位を有する。
【００３２】
巻線部１３は、円管状の線材が仮想の巻芯のまわりに巻かれることで螺旋状に形成される。仮想の巻芯は、長円形の断面を有する柱状をしている。図２において、巻芯軸Ｏ１０は、仮想の巻芯の中央に延びる中心線である。なお、仮想の巻芯は、これに限らず、例えば矩形の断面を有する柱状に設定してもよい。
【００３３】
巻線部１３は、巻芯軸Ｏ１０が隔壁６２と平行に、かつ水平方向に延びるようにタンク６０内に配置される。
【００３４】
巻線部１３は、巻芯軸Ｏ１０を挟んで対向し交互（上下）に並んで延びる複数（６本）の第１延設線部１３Ａ及び複数（６本）の第２延設線部１３Ｃと、巻芯軸Ｏ１０を挟んで対向し第１延設線部１３Ａ及び第２延設線部１３Ｃを連結する複数（６本）の第１湾曲線部１３Ｂ及び複数（５本）の第２湾曲線部１３Ｄと、を有する。第１延設線部１３Ａ、第１湾曲線部１３Ｂ、第２延設線部１３Ｃ、及び第２湾曲線部１３Ｄは、互いに連続して巻線部１３の一巻き分を構成する。なお、巻線部１３の巻き数は、タンク６０内の収容スペースに応じて任意に設定される。
【００３５】
第１湾曲線部１３Ｂは、仮想の巻芯の一方の端部に設定される軸を中心として円弧状に湾曲するように形成される。第２湾曲線部１３Ｄは、仮想の巻芯の他方の端部に設定される軸を中心として円弧状に湾曲するように形成される。
【００３６】
巻線部１３は、第１湾曲線部１３Ｂ及び第２湾曲線部１３Ｄが巻芯軸Ｏ１０に直交する方向から見て同一方向（図２において右方向）に傾倒するように形成される。つまり、第１湾曲線部１３Ｂ及び第２湾曲線部１３Ｄは、仮想の巻芯(巻芯軸Ｏ１０)に対して同一方向に傾倒している。
【００３７】
図２において、基準線Ｖは、巻芯軸Ｏ１０と直交するように配置される。第１湾曲線部１３Ｂは、基準線Ｖに対して角度θ１をもって傾斜している。第２湾曲線部１３Ｄは、基準線Ｖに対して角度θ２をもって傾斜している。角度θ１は、角度θ２より小さい。角度θ１、角度θ２は、第１延設線部１３Ａ及び第２延設線部１３Ｃの配置に応じて任意に設定される。
【００３８】
こうして、電気ヒータ１０は、巻線部１３が基準線Ｖに対して倒される扁平な螺旋状に形成されることにより、巻線部１３の巻き径Ｌ１、Ｌ２に対して巻線部１３の高さＨが小さく抑えられる。なお、巻き径Ｌ１は、湾曲した第１延設線部１３Ａの両端の中心間の距離である。巻き径Ｌ２は、湾曲した第２延設線部１３Ｃの両端の中心間の距離である。高さＨは、第１延設線部１３Ａと第２延設線部１３Ｃとの中心間の最短距離である。高さＨは、電気ヒータ１０の直径Ｄより大きく設定される。
【００３９】
タンク室５１において、巻芯軸Ｏ１０より上方の領域を上方領域５１Ｃとし、巻芯軸Ｏ１０より下方の領域を下方領域５１Ｄとする。巻線部１３は、第１延設線部１３Ａが上方領域５１Ｃに延びる一方、第２延設線部１３Ｃが下方領域５１Ｄに延びるように配置される。
【００４０】
巻線部１３の各第１延設線部１３Ａは、板状のブラケット１６、１７によってタンク６０に取り付けられる。ブラケット１６、１７の両端部は、ボルト１８と位置決めピン１９とによって隔壁６２に取り付けられる。
【００４１】
ブラケット１６、１７は、両者の間に６本の第１延設線部１３Ａを挟持する。ブラケット１６、１７は、２本の第１延設線部１３Ａを囲む部位と、４本の第１延設線部１３Ａを囲む部位と、を有する。このように、ブラケット１６、１７は、長手方向の中央部について非対称の形状を有する。これにより、ブラケット１６、１７の組み付け時に、誤ってブラケット１６、１７が図１の左右方向について逆に組み付けられることが防止される。
【００４２】
電気ヒータ１０には、バイメタルスイッチ７５を収容する感温ケース７６がロウ付けなどによって取り付けられる。
【００４３】
図４に示すように、有底筒状の感温ケース７６は、隔壁６２に形成された孔６４に嵌合して取り付けられる。感温ケース７６の外周と孔６４の内周との間には、シールリング７８、７９が介装される。これにより、感温ケース７６と孔６４との間が密封される。
【００４４】
感温ケース７６は、底部７６Ａからリブ状に突出する伝熱部７６Ｂを有する。伝熱部７６Ｂは、２本の第１延設線部１３Ａの間に挟まれるように配置され、各第１延設線部１３Ａの外周に沿って湾曲する両側面７６Ｃを有する。これにより、感温ケース７６は、電気ヒータ１０の熱をバイメタルスイッチ７５に伝える伝熱経路の面積が十分に確保される。
【００４５】
電気ヒータ１０と感温ケース７６とは、互いに結合されたアッシとして設けられ、一緒にタンク６０に組み付けられる。
【００４６】
加熱装置１００の作動時に、温度検知器７７では、液体及び電気ヒータ１０の熱が感温ケース７６を介してバイメタルスイッチ７５に伝えられる。
【００４７】
図５は、電気ヒータ１０を上方から見た平面図である。図６は、電気ヒータ１０を側方から見た側面図である。図５、図６において、Ｏ５３は入口５３の流路軸であり、Ｏ５４は出口５４の流路軸である。
【００４８】
入口５３及び出口５４は、図５において、それぞれの流路軸Ｏ５３と流路軸Ｏ５４とが互いに平行に延び、かつ巻線部１３の巻芯軸Ｏ１０に直交するように配置される。
【００４９】
入口５３及び出口５４は、図６において、それぞれの流路軸Ｏ５３、流路軸Ｏ５４が巻線部１３の巻芯軸Ｏ１０より上方に延びるように配置される。こうして、入口５３及び出口５４は、タンク室５１の上方領域５１Ｃに開口する。
【００５０】
巻線部１３の各第１延設線部１３Ａは、図５において、入口５３及び出口５４の流路軸Ｏ５３、Ｏ５４に対して平行に延びる直線状に形成される。つまり、各第１延設線部１３Ａは、各第１延設線部１３Ａは、入口５３及び出口５４の延長方向に延びるように形成される。
【００５１】
各第２延設線部１３Ｃは、入口５３及び出口５４の流路軸Ｏ５３、Ｏ５４に対して傾斜して延びる直線状に形成される。
【００５２】
感温ケース７６の伝熱部７６Ｂは、入口５３の流路軸Ｏ５３上に配置される。このように、伝熱部７６Ｂが入口５３の延長上に配置される。これにより、入口５３からタンク室５１に流入した液体の流れが伝熱部７６Ｂに導かれる。
【００５３】
タンク６０には、隔壁６２からタンク室５１に突出するリブ６５が形成される。図２に示すように、リブ６５は、隣り合う２本の第１延設線部１３Ａの間に配置される。リブ６５の突出端６５Ａは、第２延設線部１３Ｃの近傍に対峙している。図６に示すように、リブ６５は、中程に第２湾曲線部１３Ｄに干渉しないように窪む凹部６５Ｄを有する。
【００５４】
図５に示すように、リブ６５の基端６５Ｂは、入口５３及び出口５４が開口する外壁６１に接続される。リブ６５の先端６５Ｃは、タンク室５１の中央部にてブラケット１６、１７の近傍に対峙している。
【００５５】
タンク室５１は、リブ６５によって入口５３が開口する上流領域５１Ａと、出口５４が開口する下流領域５１Ｂと、に仕切られる。
【００５６】
上流領域５１Ａは、下流領域５１Ｂより、巻芯軸Ｏ１０方向について大きい流路幅を有する。上流領域５１Ａには、４本の第１延設線部１３Ａが配置される。一方、下流領域５１Ｂには、２本の第１延設線部１３Ａが配置される。
【００５７】
次に、加熱装置１００の作用について説明する。
【００５８】
空調装置のポンプによって送られる液体は、加熱装置１００において、入口５３からタンク室５１に流入し、タンク室５１を流れる過程で電気ヒータ１０によって加熱された後に、出口５４から流出し、熱媒体回路を循環する。
【００５９】
入口５３を通過した液体は、図５に矢印Ａで示すように、タンク室５１の上流領域５１Ａに流入し、入口５３の延長方向に延びる各第１延設線部１３Ａ及びリブ６５に沿って上流領域５１Ａを図５において右方向に流れる。上流領域５１Ａを通過した液体は、リブ６５の先端６５Ｃを折り返すようにして、下流領域５１Ｂに移る。
【００６０】
下流領域５１Ｂに移った液体は、出口５４の延長方向に延びる各第１延設線部１３Ａ及びリブ６５に沿って下流領域５１Ｂを図５において左方向に流れ、出口５４を通って流出する。
【００６１】
このように、入口５３から出口５４に向かう液体が各第１延設線部１３Ａ及びリブ６５によって案内され、タンク室５１の上方領域５１Ｃを往復して流れる。これにより、液体が入口５３から出口５４に短絡して流れることが抑えられ、入口５３及び出口５４から離れた領域に液体の流速が低下する淀みが生じないようにすることができる。
【００６２】
電気ヒータ１０は、各端子１１、１５間に電力が供給されると、各端部１２、１４及び巻線部１３が発熱し、タンク室５１を流れる液体を加熱する。こうして、加熱装置１００を通過して加熱された液体（温水）がヒータコアに送られる。
【００６３】
次に、本実施形態の効果について説明する。
【００６４】
本実施形態によれば、電気ヒータ１０の巻線部１３は、互いに対向して湾曲する第１湾曲線部１３Ｂ及び第２湾曲線部１３Ｃを有し、第１湾曲線部１３Ｂ及び第２湾曲線部１３Ｃは、同一方向に傾倒するように形成される。
【００６５】
上記構成に基づき、電気ヒータ１０の巻線部１３は、第１湾曲線部１３Ｂ及び第２湾曲線部１３Ｄが同一方向に傾倒することにより、扁平な螺旋状に形成され、その外形が小さくなる。このため、タンク６０内における電気ヒータ１０の巻線部１３を収容するスペースが小さくなり、加熱装置１００の小型化が図れる。
【００６６】
なお、本実施形態によれば、電気ヒータ１０の巻線部１３を扁平な螺旋状に形成しても、軸方向に隣り合う線材どうしの間隔（ピッチ）が拡がらず、限られたスペースに所定の長さの線材を収められる。これに対して、前記従来の装置における電気ヒータの巻線部は、扁平な螺旋状に形成すると、反対方向に傾倒する部位を有するため、軸方向に隣り合う線材どうしの間隔が拡がり、限られたスペースに所定の長さの線材を収められなくなる。
【００６７】
また、本実施形態によれば、電気ヒータ１０の巻線部１３は、第１湾曲線部１３Ｂの両端と第２湾曲線部１３Ｃの両端とをそれぞれ連結して直線状に延びる第１延設線部１３Ａ及び第２延設線部１３Ｃを有する。
【００６８】
上記構成に基づき、電気ヒータ１０の巻線部１３は、第１延設線部１３Ａ及び第２延設線部１３Ｃによって線材の長さを十分に確保するとともに、タンク室５１における液体の流れを円滑にすることができる。
【００６９】
なお、電気ヒータ１０の巻線部１３は、第１延設線部１３Ａ及び第２延設線部１３Ｃを有さず、第１湾曲線部１３Ｂの両端と第２湾曲線部１３Ｃの両端とが互い結合するのであってもよい。
【００７０】
また、本実施形態によれば、第１延設線部１３Ａは、入口５３及び出口５４の延長方向に延びるように形成される。
【００７１】
上記構成に基づき、入口５３からタンク６０内に流入した液体が第１延設線部１３Ａに沿って円滑に流れる。そして、タンク６０内で出口５４に向かう液体が第１延設線部１３Ａに沿って円滑に流れる。これにより、タンク６０内の液体が滞留することが抑えられるため、電気ヒータ１０の熱が液体に効率よく伝えられる。
【００７２】
なお、上述した構成に限らず、入口５３が第１延設線部１３Ａに対して平行に延びるように開口する一方、出口５４が第１延設線部１３Ａに対して傾斜するように開口する構成としてもよい。この場合にも、入口５３を通ってタンク６０内に流入した液体は、第１延設線部１３Ａに沿って円滑に流れる。また、入口５３が第１延設線部１３Ａに対して傾斜するように開口する一方、出口５４が第１延設線部１３Ａに対して平行に延びるように開口する構成としてもよい。この場合にも、タンク６０内で出口５４に向かう液体が第１延設線部１３Ａに沿って円滑に流れる。
【００７３】
また、本実施形態によれば、第１延設線部１３Ａが第２延設線部１３Ｃの上方に配置される。入口５３及び出口５４は、第１延設線部１３Ａの延長方向に配置され、上方領域５１Ｃに開口している。
【００７４】
上記構成に基づき、タンク６０内の上方領域５１Ｃには、入口５３から出口５４へと向かう液体が第１延設線部１３Ａに沿って円滑に流れる。これにより、タンク６０内の上方領域５１Ｃに高温の液体が滞留することが抑えられるため、電気ヒータ１０の熱が液体に効率よく伝えられる。
【００７５】
なお、上述した構成に限らず、タンク６０内の上方領域５１Ｃに入口５３が開口する一方、タンク６０内の下方領域５１Ｄに出口５４が開口する構成としてもよい。この場合にも、入口５３を通ってタンク６０内に流入した液体は、第１延設線部１３Ａに沿って円滑に流れる。また、タンク６０内の下方領域５１Ｄに入口５３が開口する一方、タンク６０内の上方領域５１Ｃに出口５４が開口する構成としてもよい。この場合にも、タンク６０内から出口５４に向かう液体は、第１延設線部１３Ａに沿って円滑に流れる。
【００７６】
また、本実施形態によれば、タンク６０内の一端に入口５３と出口５４とが平行に並んで開口し、タンク６０内を入口５３が開口する上流領域５１Ａと出口５４が開口する下流領域５１Ｂとに仕切るリブ６５をさらに備える。
【００７７】
上記構成に基づき、液体がリブ６５に沿って上流領域５１Ａ及び下流領域５１Ｂを流れる。これにより、液体が入口５３から出口５４へ短絡することが抑えられ、電気ヒータ１０の熱が液体に効率よく伝えられる。
【００７８】
また、本実施形態によれば、リブ６５は、隣り合う２本の第１延設線部１３Ａの間から第２延設線部１３Ｃに向けて突出する。
【００７９】
上記構成に基づき、リブ６５がタンク６０内の上流領域５１Ａに突出する長さが十分に確保される。これにより、液体が入口５３から出口５４へ短絡することが抑えられ、電気ヒータ１０の熱が液体に効率よく伝えられる。
【００８０】
なお、上述した構成に限らず、タンク室５１の一端に入口５３が開口し、タンク室５１の他端に出口５４が開口する構成としてもよい。この場合、入口５３を通ってタンク室５１に流入した液体は、タンク室５１を直進するように流れ、出口５４を通って流出する。このため、リブなどを設ける必要がない。
【００８１】
また、本実施形態によれば、隣り合う２本の第１延設線部１３Ａの間に液体の温度を検知する温度検知器７７が配置される。
【００８２】
上記構成に基づき、温度検知器７７は、液体の流速が高い第１延設線部１３Ａの間で液体の温度を検知するため、タンク６０内を循環する液体の温度を的確に検知することができる。
【００８３】
以上、本発明の実施形態について説明したが、上記実施形態は本発明の適用例の一部を示したに過ぎず、本発明の技術的範囲を上記実施形態の具体的構成に限定する趣旨ではない。
【００８４】
本発明は、車両に搭載される加熱装置として好適であるが、車両以外に使用される加熱装置にも適用できる。
【符号の説明】
【００８５】
１０    電気ヒータ
１３    巻線部
１３Ａ    第１延設線部
１３Ｂ    第１湾曲線部
１３Ｃ    第２延設線部
１３Ｄ    第２湾曲線部
５１    タンク室
５１Ａ    上流領域
５１Ｂ    下流領域
５３    入口
５４    出口
６０    タンク
６５    リブ
７７    温度検知器
１００    加熱装置
【図１】
2016180547.tif 000003
【図２】
2016180547.tif 000004
【図３】
2016180547.tif 000005
【図４】
2016180547.tif 000006
【図５】
2016180547.tif 000007
【図６】
2016180547.tif 000008